(57)【要約】【課題】クッション性を使用者の好みに応じて調節できるようにする。【解決手段】枕本体２を、第１分割体２ａと第２分割体２ｂとで構成し、合わせ保持手段３によって保持する構成とする。これら第１、第２分割体２ａ，２ｂの合わせ面Ｐ双方に、枕本体２のクッション性を調節可能な調節素材４を嵌合保持するための空洞部５を設ける。前記調節素材４は、前記空洞部５に嵌合可能な断面略長円の筒状部材とし、種々の反発性の素材から構成したものを複数備える。また、前記調節素材４としては、周知の複数の異なる反発性の素材から、互いに反発性の相違する素材４ａ，４ｂを一対組み合わせて一体構成することもできる。【選択図】　　　　　　　図２
2004129885.tif 000002
【特許請求の範囲】
【請求項１】
クッション性素材の枕本体で構成し、この枕本体は、第１の分割体と第２の分割体とで分割構成して、分割面を合わせ面として合わせ保持手段によって一体的に保持可能な構成とし、これら第１、第２分割体双方に、枕本体のクッション性を調節可能な調節素材を嵌合保持するための空洞部を設けたことを特徴とする枕装置。
【請求項２】
クッション性素材の枕本体で構成し、この枕本体は、第１の分割体と第２の分割体とで分割構成して、分割面を合わせ面として合わせ保持手段によって保持する構成とし、これら第１、第２分割体のいずれかに、枕本体のクッション性を調節可能な調節素材を嵌合保持するための空洞部を設けたことを特徴とする枕装置。
【請求項３】
前記第１分割体と第２分割体とは、分割面を開放可能に連結する構成としたことを特徴とする請求項１又は２記載の枕装置。
【請求項４】
前記調節素材は、複数の異なる反発性の素材から、互いに反発性の相違する素材を一対組み合わせて一体構成したものを複数備えたことを特徴とする請求項１記載の枕装置。
【請求項５】
前記合わせ保持手段は、前記第１、第２分割体の合わせ面に配設した面ファスナによって構成したことを特徴とする請求項１または２記載の枕装置。
【請求項６】
前記合わせ保持手段は、前記第１、第２分割体の合わせ面縁部に沿って配設したファスナによって構成したことを特徴とする請求項１または２記載の枕装置。
【請求項７】
前記空洞部は、長円筒状とすると共に調節素材を空洞部に嵌合可能な長円筒状としたことを特徴とする請求項１記載の枕装置。
【請求項８】
前記空洞部は、半長円筒状とすると共に調節素材を空洞部に嵌合可能な半長円筒状としたことを特徴とする請求項２記載の枕装置。
【請求項９】
前記空洞部は、後頭部の上部側まで延在する形状としたことを特徴とする請求項１、２、７，８記載の枕装置。
【発明の詳細な説明】
【０００１】
【発明が属する技術分野】
本発明は、クッション性を使用者の好みに応じて調節できるようにした、枕装置に関するものである。
【０００２】
【従来の技術】
人間が就寝時、健常者でも病弱者でも、枕は大変重要であり、枕自体の固さは勿論、形状、支えたときの高さ寸法が使用者によって、千差万別であるのは周知のとおりである。
枕自体の高さが高すぎると、頚椎が極端に内側に曲がって、気道が圧迫され、息苦しくなったり、肩が凝ったりする。
一方、枕の高さが低すぎたり、柔らかすぎると、頭が沈み込んでしまい、大変寝心地が悪くなって、快適性が損なわれるおそれがある。また、高血圧症の患者には、不向きである。
【０００３】
そこで、最近、柔軟度を変更できるようにした枕が提案されている（実用新案登録第３０７７７６０号参照）。この枕では、ポリウレタン発泡体からなる枕本体と強化部材と枕カバーとからなり、枕本体中段部の底部に、スリットを有する横溝を形成して、この横溝に枕本体より硬い材質の強化部材を着脱して枕の柔軟度を変更するようにしている。
【０００４】
【発明が解決しようとする課題】
しかしながら、上記枕では、強化部材は円柱であり、枕本体の内部の一部を占めるに過ぎず、柔軟度の変更の効果が及ぶのは、強化部材を装着する横溝周囲近傍にとどまり、枕本体全体に、前記強化部材の材質の影響が反映されるものではないと考えられる。すなわち頭、後頭部を支える箇所の大部分には、強化部材による調整効果は及ばないものと思われる。
また、横溝におけるスリットは、横溝直下の枕本体底部にあるので、使用に際して上からの荷重によって、スリットが広がり、横溝が変形して強化部材が抜け落ちるおそれがある。
本発明はかかる背景から提案されたものであって、クッション性を使用者の好みに応じて調節できるようにした、枕装置を提供することを目的とする。
【０００５】
【課題を解決するための手段】
上述した課題を解決するために、本発明では、請求項１において、クッション性素材の枕本体で構成し、この枕本体は、第１の分割体と第２の分割体とで分割構成して、分割面を合わせ面として合わせ保持手段によって一体的に保持可能な構成とし、これら第１、第２分割体双方に、枕本体のクッション性を調節可能な調節素材を嵌合保持するための空洞部を設けた枕装置を提案する。
また本発明では、請求項２において、クッション性素材の枕本体で構成し、この枕本体は、第１の分割体と第２の分割体とで分割構成して、分割面を合わせ面として合わせ保持手段によって保持する構成とし、これら第１、第２分割体のいずれかに、枕本体のクッション性を調節可能な調節素材を嵌合保持するための空洞部を設けた枕装置を提案する。
また本発明では、請求項３において、前記第１分割体と第２分割体とは、分割面を開放可能に連結する構成とした枕装置を提案する。
また本発明では、請求項４において、前記調節素材は、複数の異なる反発性の素材から、互いに反発性の相違する素材を一対組み合わせて一体構成したものを複数備えた枕装置を提案する。
また本発明では、請求項５において、前記合わせ保持手段は、前記第１、第２分割体の合わせ面に配設した面ファスナによって構成した枕装置を提案する。
また本発明では、請求項６において、前記合わせ保持手段は、前記第１、第２分割体の合わせ面縁部に沿って配設したファスナによって構成した枕装置を提案する。
また本発明では、請求項７において、前記空洞部は、長円筒状とすると共に調節素材を空洞部に嵌合可能な長円筒状とした枕装置を提案する。
また本発明では、請求項８において、前記空洞部は、半長円筒状とすると共に調節素材を空洞部に嵌合可能な半長円筒状とした枕装置を提案する。
さらに本発明では、請求項９において、前記空洞部は、後頭部の上部側まで延在する形状とした枕装置を提案する。
【０００６】
請求項１によれば、枕本体の空洞部に、調節素材を保持するには、合わせ保持手段を分離して、第１分割体と第２分割体との合わせ面を露出させる。
次いで、これら第１、第２分割体双方に形成された空洞部に、調節素材を載置して、前記第１分割体と第２分割体とを合わせ面において一体化するように閉じて合わせ保持手段により保持する。
これにより、枕本体の空洞部を形成した外面は、空洞部に保持した調節素材の反発特性が反映され、全体のクッション性を使用者の好みに対応させることができる。
【０００７】
請求項２によれば、合わせ保持手段を分離して、第１分割体と第２分割体との合わせ面を露出させ、これら第１、第２分割体いずれかに形成された空洞部に、調節素材を載置して、前記第１分割体と第２分割体とを合わせ面において一体化するように閉じて合わせ保持手段により保持する。これにより、調節素材は空洞部から脱落することなく保持することができる。
【０００８】
請求項３によれば、第１分割体と第２分割体とは、分割面を開放可能に連結しているので、取扱い性がよい。
【０００９】
請求項４によれば、調節素材は、複数の異なる反発性の素材から、互いに反発性の相違する素材を一対組み合わせて一体構成したものを複数備えているので、選択の幅が大きく、枕本体の全体のクッション性を、一層、使用者の好みに対応させることができる。
【００１０】
請求項５によれば、第１、第２分割体の合わせ面に配設した面ファスナによって、第１、第２分割体を分離しないように保持することができる。これにより、空洞部に嵌合した調節素材は、脱落することはない。
【００１１】
請求項６によれば、第１、第２分割体の合わせ面縁部に沿って配設したファスナによって第１、第２分割体を分離しないように保持することができるので、枕本体が使用によって変形しても、空洞部内に保持した調節素材が脱落するようなことはない。
【００１２】
請求項７によれば、空洞部を長円筒状としたことで、調節素材は空洞部内で回動してずれるようなことはなく、保持しやすい。
【００１３】
請求項８によれば、空洞部を半長円筒状としたことで、調節素材は空洞部内で回動してずれるようなことはなく、保持しやすい。
【００１４】
請求項９によれば、空洞部を後頭部上部側に対応する箇所まで延在させれば、クッション性を一層、所望のものに調節することができる。
【００１５】
【発明の実施の態様】
以下、本発明にかかる枕装置につき、一つの実施の態様を挙げ、添付の図面に基づいて説明する。
図１に示す枕装置１は、詰物としてクッション性素材の枕本体２で構成し、この枕本体２は、第１の分割体２ａと第２の分割体２ｂとで構成して、互いに開閉可能に連結すると共に、分割面を合わせ面Ｐとして合わせ保持手段３によって保持する構成としている。これら第１、第２分割体２ａ，２ｂの合わせ面Ｐ双方には、枕本体２のクッション性を調節可能な調節素材４を嵌合保持するための空洞部５を設けている。
なお、前記枕本体２は、図示は省略するが、取り外し可能なカバー部材で覆っている。
【００１６】
前記枕本体２には、周知のクッション性素材を使用し、前記第１、第２分割体２ａ，２ｂは、縦断面を合わせ面Ｐとするように分割し、図中右側端部の箇所に設けた蝶着部材（図示省略）を中心に開閉可能に構成している（図２参照）。勿論、図２のように第１分割体２ａと第２分割体２ｂとは蝶着部材によって連結しなくても、完全に分割して、合わせ面Ｐにおいて合わせ保持手段３によって一体的に保持する構成とすることもできる。
前記第１分割体２ａと第２分割体２ｂとを合わせ面Ｐを介して一体保持した際、枕本体２の外形は、左右方向右側寄りの箇所を肉厚として、かかる右側寄りの箇所の内部には、前記空洞部５を形成している。なお、この右側寄りの箇所は、使用者の後頭部から首にかけての箇所を支えるようにしている。
【００１７】
前記合わせ保持手段３としては、前記第１、第２分割体２ａ，２ｂの合わせ面Ｐに配設した面ファスナを用いている。この場合、面ファスナは、前記合わせ面双方の角部近傍と空洞部５四方角部に配設している。また、第１分割体２ａと第２分割体２ｂとの連結箇所である蝶着部材近傍に設けることもできる。
この他、前記合わせ保持手段３としては、第１、第２分割体２ａ，２ｂの合わせ面Ｐ縁部に沿って配設したファスナも可能である。
【００１８】
前記調節素材４は、前記空洞部５に嵌合可能な断面略長円の筒状部材とし、種々の反発性の素材から構成したものを、複数備えている。
また、前記調節素材４としては、周知の複数の異なる反発性の素材から、互いに反発性の相違する素材４ａ，４ｂを一対組み合わせて一体構成するようにしてもよい（図３参照）。この場合、調節素材４を構成する、それぞれの素材４ａ，４ｂは、半筒状の形状で、平らな面同士を適宜な手段により一体的に接合している。
【００１９】
そして空洞部５は、前記第１分割体２ａと第２分割体２ｂとにおける双方の合わせ面Ｐの、蝶着部材寄りの箇所に、前記調節素材４を嵌合保持できるように、それぞれ、断面長円の半筒状にくり抜いて構成している。
なお、前記空洞部５は円筒状にくり抜いて構成することもできる。
また前記空洞部５は、使用者の後頭部上部側に対応する箇所まで延在する形状とすることもできる（図１中、一点鎖線）。
【００２０】
以上のように構成される枕装置１において、枕本体２の空洞部５に調節素材４を保持するには、合わせ保持手段３を分離して、第１分割体２ａと第２分割体２ｂとを開放展開し、合わせ面Ｐを露出させる。
次いで、これら第１、第２分割体２ａ，２ｂの合わせ面Ｐに形成された空洞部５に、複数の種々の反発性の調節素材４から一つの調節素材４を選択して載置する。そして、前記第１分割体２ａと第２分割体２ｂとを合わせ面Ｐにおいて一体化するように閉じて合わせ保持手段３により保持する。なお、空洞部５は、第１、第２分割体２ａ，２ｂの双方の合わせ面Ｐにそれぞれ、断面長円の半筒状にくり抜いて構成しているので、調節素材４は空洞部５内でずれることなく保持することができる。
これにより、枕本体２の空洞部５を形成した上面は、空洞部５に保持した調節素材４の反発特性が反映され、全体のクッション性を使用者の好みに対応させることができる。
【００２１】
そして、もしクッション性が合わないときは、再び合わせ保持手段３を分離して、第１分割体２ａと第２分割体２ｂとを開放展開し、合わせ面Ｐを露出させ、空洞部５内から前記調節素材４を取り出して、別の調節素材４を選択し、前記空洞部５に保持する。
【００２２】
かかる枕本体２に、使用者は、厚さ寸法の大きい、すなわち空洞部５を形成した外面に、使用者の後頭部から首にかけての箇所を乗せて使用することができる。この時、枕本体２は、頭からの荷重によって、空洞部５は、図中、二点鎖線で示すように変形する（図１参照）。
しかしながら、空洞部５は、第１、第２分割体２ａ，２ｂの双方の合わせ面Ｐにそれぞれ、断面長円の半筒状にくり抜いて構成しているので、調節素材４は空洞部５内でずれることなく保持することができ、また第１分割体２ａと第２分割体２ｂとを合わせ面Ｐにおいて一体化するように合わせ保持手段３により保持しているので、調節素材４が脱落するようなことはない。
【００２３】
なお、前記合わせ保持手段３として、第１、第２分割体２ａ，２ｂの合わせ面Ｐ縁部に沿って配設したファスナを用いたものにあっては、さらに確実に、空洞部５内に保持した調節素材４を脱落しないように保持することができる。
【００２４】
また、調節素材４として、周知の複数の異なる反発性の素材から、互いに反発性の相違する素材４ａ，４ｂを一対組み合わせて一体構成したものを用いて、枕本体２のクッション性を調整するには、以下のようにする。
先ず、枕本体２の合わせ保持手段３を分離して、第１分割体２ａと第２分割体２ｂとを開放展開し、合わせ面Ｐを露出させ、次いで、これら第１、第２分割体２ａ，２ｂの合わせ面Ｐに形成された空洞部５に、種々の異なる反発性の素材４ａ，４ｂの組合せの調節素材４から適宜選び出した調節素材４を載置する。
ここで、好みに応じて異なる反発性の素材４ａ，４ｂのうちのいずれかの素材側が上に向くようにする。
これにより、枕本体２の空洞部５を形成した上面は、空洞部５に保持した調節素材４のうち、上に向けた素材の反発特性が反映され、全体のクッション性を、一層的確に使用者の好みに対応させることができる。
【００２５】
また、前記空洞部５を、図１中、一点鎖線で示すように使用者の後頭部上部側に対応する箇所まで延在する形状としたものにあっては、ほぼ後頭部が乗る枕本体２の上外面が、空洞部５に保持した調節素材４の反発特性の影響を受け、枕本体２を一層、望み通りのクッション性に調節することができる。
【００２６】
さらに本発明にかかる枕装置１では、枕本体２のクッション性を調節するための調節素材４を嵌合保持するための空洞部５は、使用者の頭が直接乗る第２分割体２ｂ側のみに設けることもできる（図４参照）。
この場合、空洞部５は、第２分割体２ｂの合わせ面Ｐに、半長円筒状にくり抜いて形成している。そして、かかる空洞部５に嵌合保持するための調節素材４は、半長円筒状の形状としている。この調節素材４は、種々の反発性のもので構成して、適宜選択できるように複数備えている（図５参照）。
【００２７】
このように構成すれば、調節素材４は半長円筒状としたことで、空洞部５内で回動してずれるようなことはなく、保持しやすいのは勿論、使用者の頭が直接乗る第２分割体２ｂ側のみに空洞部５を設けたので、第２分割体２ｂは特に調節素材４の反発特性が反映され、クッション性を使用者の好みに対応させることができる。
【００２８】
【発明の効果】
以上の通り、本発明によれば、
１．枕本体の第１、第２分割体の合わせ面に形成された空洞部に、一つの選択された調節素材を載置して、前記第１分割体と第２分割体とを合わせ面において一体化するように閉じて合わせ保持手段により保持するようにしたので、調節素材の装着作業が簡単であるし、脱落するおそれもない。
２．合わせ保持手段を分離して、第１分割体と第２分割体との合わせ面を露出させ、これら第１、第２分割体いずれかに形成された空洞部に、調節素材を載置して、前記第１分割体と第２分割体とを合わせ面において一体化するように閉じて合わせ保持手段により保持する。これにより、調節素材は空洞部から脱落することなく保持することができる。
３．第１分割体と第２分割体とを、分割面を開放可能に連結すれば、取扱い性がよい。
４．調節素材は、複数の異なる反発性の素材から、互いに反発性の相違する素材を一対組み合わせて一体構成したものを複数備えているので、選択の幅が大きく、枕本体の全体のクッション性を、一層、使用者の好みに対応させることができる。
５．第１、第２分割体の合わせ面に配設した面ファスナによって、第１、第２分割体を分離しないように保持することができる。これにより、空洞部に嵌合した調節素材は、脱落することはない。
６．第１、第２分割体の合わせ面縁部に沿って配設したファスナによって第１、第２分割体を分離しないように保持することができるので、枕本体が使用によって変形しても、空洞部内に保持した調節素材が脱落するようなことはない。
７．空洞部を長円筒状としたことで、調節素材は空洞部内で回動してずれるようなことはなく、保持しやすい。
８．空洞部を半長円筒状としたことで、調節素材は空洞部内で回動してずれるようなことはなく、保持しやすい。
９．空洞部を後頭部上部側に対応する箇所まで延在させれば、クッション性を一層、所望のものに調節することができる。
【００２９】
【図面の簡単な説明】
【図１】本発明にかかる枕装置の一つの実施の形態を示す断面説明図である。
【図２】図１に示す枕装置の全体構成を示す、斜視説明図である。
【図３】本発明にかかる枕装置における調節素材の別例を示した、斜視図である。
【図４】本発明にかかる枕装置の別の実施の形態を示す断面説明図である。
【図５】図４に示す枕装置の全体構成を示す、斜視説明図である。
【符号の説明】
１　　　　　　　　　　　　　　枕装置
２　　　　　　　　　　　　　　枕本体
２ａ　　　　　　　　　　　　　第１分割体
２ｂ　　　　　　　　　　　　　第２分割体
３　　　　　　　　　　　　　　合わせ保持手段
４　　　　　　　　　　　　　　調節素材
４ａ，４ｂ　　　　　　　　　　素材
５　　　　　　　　　　　　　　空洞部
Ｐ　　　　　　　　　　　　　　合わせ面
【図１】
2004129885.tif 000003
【図２】
2004129885.tif 000004
【図３】
2004129885.tif 000005
【図４】
2004129885.tif 000006
【図５】
2004129885.tif 000007